Podtech/llm-jp-corpus-v4-ja_patent huggingface dataset:
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
ＭＲデバイスの検査ボリューム内に位置する物体のＭＲ像形成の方法であって、前記方法が、
少なくとも１つのＲＦパルスとスイッチングされる磁場勾配との像形成シーケンスを前記物体に施すステップと、
スタックオブスター（stack-of-stars）スキームに従って、ＭＲ信号を獲得するステップであって、前記ＭＲ信号が、複数の異なる角度位置で半径方向にｋ空間プロファイルとして、及び、スライス方向に沿った異なる位置に配置された複数の平行スライスから獲得され、前記ｋ空間プロファイルの放射状密度が、スライス位置の関数として変化し、前記放射状密度が、より中心のｋ空間位置においてより高く、より周辺のｋ空間領域内の位置においてより低く、前記ｋ空間プロファイルが、より周辺のｋ空間位置におけるスライスからより、より中心のｋ空間位置におけるスライスから、より高い時間密度で獲得されるステップと、
前記ＭＲ信号からＭＲ像を再構成するステップと、
を有する、方法。
【請求項２】
前記ＭＲ像を再構成するために、ｋ空間内における放射状スポークに沿って、互いに時間的に最も近くで獲得されたＭＲ信号が、ｋ空間の中心の周りの楕円体内において選択され、前記ｋ空間プロファイルの前記放射状密度は、所与の視界に従ったナイキスト基準が前記ｋ空間の中心の周りの前記楕円体内において満たされるように、放射状密度変化する、
請求項１に記載の方法。
【請求項３】
前記ＭＲ像を再構成するために、中心の楕円体を越えた周辺のｋ空間領域内にあるｋ空間内の部分的な放射状スポークからのＭＲ信号のみが選択され、前記ｋ空間内の前記部分的な放射状スポークは、外向きの放射状ｋ空間位置から延び、前記部分的な放射状スポークは外向きに周辺のｋ空間ＭＲ楕円体となるにつれて、前記部分的な放射状スポークがより高い角密度をもつ、
請求項２に記載の方法。
【請求項４】
前記楕円体の外部のｋ空間位置におけるＭＲ信号が、前記ＭＲ像を再構成する前に除去される、
請求項２又は３に記載の方法。
【請求項５】
前記ｋ空間プロファイルが、異なる角度位置でさらなるｋ空間プロファイルを獲得する前に、同じ角度位置で少なくとも２つの異なるスライスから獲得される、
請求項１乃至４のいずれか一項に記載の方法。
【請求項６】
前記楕円体の外部よりも前記楕円体内において、所与の視界に従ったナイキスト基準より高い放射状密度が使用され、前記楕円体の外部における前記ｋ空間プロファイルの前記放射状密度が、前記ナイキスト基準以下であるように、前記ｋ空間プロファイルの前記放射状密度が変化する、
請求項２、又は請求項２に従属する請求項３乃至５のいずれか一項に記載の方法。
【請求項７】
連続的に獲得されたｋ空間プロファイルの角度インクリメントが、黄金角度である、
請求項１乃至６のいずれか一項に記載の方法。
【請求項８】
前記ｋ空間プロファイルが、ｋ空間の周辺の領域内において不規則に分布する、
請求項１乃至７のいずれか一項に記載の方法。
【請求項９】
前記ＭＲ像が、圧縮された検出を使用して再構成される、
請求項１から請求項８のいずれか一項に記載の方法。
【請求項１０】
時系列のＭＲ像が、連続的に獲得されたＭＲ信号から再構成され、前記楕円体を越えた周辺のｋ空間位置から獲得されたＭＲ信号が、前記時系列の２つ以上の連続したＭＲ像の間で共有される、
請求項２、又は請求項２に従属する請求項３乃至９のいずれか一項に記載の方法。
【請求項１１】
前記ＭＲ信号が、複数のＲＦ受信アンテナを介して並列に獲得され、前記ＭＲ像が、ＳＥＮＳＥを使用して再構成される、
請求項１乃至１０のいずれか一項に記載の方法。
【請求項１２】
検査ボリューム内に一様な静磁場を生成するための少なくとも１つの主電磁コイルと、前記検査ボリューム内において異なる空間的方向にスイッチングされる磁場勾配を生成するための複数の勾配コイルと、前記検査ボリューム内にＲＦパルスを生成するための、及び／又は、前記検査ボリューム内に位置する物体からＭＲ信号を受信するための少なくとも１つのＲＦコイルと、前記ＲＦパルスの時間的な連続性とスイッチングされる磁場勾配とを制御するための制御ユニットと、受信された前記ＭＲ信号からＭＲ像を再構成するための再構成ユニットと、を含むＭＲデバイスであって、前記ＭＲデバイスが、
少なくとも１つのＲＦパルスとスイッチングされる磁場勾配との像形成シーケンスを前記物体に施すことと、
スタックオブスター（stack-of-stars）スキームに従ってＭＲ信号を獲得することであって、前記ＭＲ信号が、スライス方向に沿った異なる位置に配置された複数の平行スライスから、半径方向のｋ空間プロファイルとして獲得され、前記ｋ空間プロファイルの放射状密度が、スライス位置の関数として変化し、前記放射状密度が、より中心のｋ空間位置においてより高く、より周辺のｋ空間領域内においてより低く、前記ｋ空間プロファイルが、より周辺のｋ空間位置におけるスライスからより、より中心のｋ空間位置におけるスライスから、より高い時間密度で獲得される、前記ＭＲ信号を獲得することと、
前記ＭＲ信号からＭＲ像を再構成することと、
を実施する、ＭＲデバイス。
【請求項１３】
ＭＲデバイス上で動作するコンピュータプログラムであって、前記コンピュータプログラムが、
少なくとも１つのＲＦパルスとスイッチングされる磁場勾配との像形成シーケンスを生成することと、
スタックオブスター（stack-of-stars）スキームに従ってＭＲ信号を獲得することであって、前記ＭＲ信号が、スライス方向に沿った異なる位置に配置された複数の平行スライスから、半径方向のｋ空間プロファイルとして獲得され、前記ｋ空間プロファイルの放射状密度が、スライス位置の関数として変化し、前記放射状密度が、より中心のｋ空間位置においてより高く、より周辺のｋ空間領域内においてより低く、
前記ｋ空間プロファイルが、より周辺のｋ空間位置におけるスライスからより、より中心のｋ空間位置におけるスライスから、より高い時間密度で獲得される、前記ＭＲ信号を獲得することと、
前記ＭＲ信号からＭＲ像を再構成することと、
を行うための命令を含む、コンピュータプログラム。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
近位部分と遠位部分とを有する可撓性の長尺部材と、
前記可撓性の長尺部材の前記遠位部分に配置された、容量性マイクロマシン超音波トランスデューサ（ＣＭＵＴ）の第１のアレイである第１のセンサアセンブリとを含み、
前記第１のセンサアセンブリは、圧力センサ、流量センサ及び撮像センサのうちの少なくとも２つとして動作可能であり、
前記第１のセンサアセンブリは、同一の前記第１のセンサアセンブリが、異なる血管内データ種類に対応するデータを様々な時点で取得するように、圧力測定、流量測定及び撮像のうちの少なくとも２つを含む異なる動作を周期的に繰り返す、血管内デバイス。
【請求項２】
前記第１のセンサアセンブリは、前記可撓性の長尺部材の周りに環状の構成で配置される、請求項１に記載の血管内デバイス。
【請求項３】
前記第１のセンサアセンブリは、側面方向又は正面方向のうちの少なくとも一方向に配置される、請求項１に記載の血管内デバイス。
【請求項４】
ＣＭＵＴの第２のアレイを備える第２のセンサアセンブリを更に含む、請求項１に記載の血管内デバイス。
【請求項５】
前記第１のセンサアセンブリは、側面方向又は正面方向のうちの一方向に配置され、前記第２のセンサアセンブリは、前記側面方向又は前記正面方向のうちの他方向に配置される、請求項４に記載の血管内デバイス。
【請求項６】
前記可撓性の長尺部材は、ガイドワイヤ又はカテーテルを備える、請求項１に記載の血管内デバイス。
【請求項７】
前記第１のセンサアセンブリは、平面的又は非平面的な構成に配される、請求項１に記載の血管内デバイス。
【請求項８】
前記第１のセンサアセンブリの異なる部分が圧力センサ、流量センサ又は撮像センサとして動作可能である、請求項１に記載の血管内デバイス。
【請求項９】
前記第１のセンサアセンブリは、異なる時間において、圧力センサ、流量センサ又は撮像センサとして動作可能である、請求項１に記載の血管内デバイス。
【請求項１０】
請求項１に記載の血管内デバイスと、
前記血管内デバイスと通信し、前記第１のセンサアセンブリによって取得された血管内データを受信するコンピューティングデバイスとを含み、
前記コンピューティングデバイスは、同一の前記第１のセンサアセンブリが、異なる血管内データ種類に対応するデータを様々な時点で取得するように、圧力測定、流量測定及び撮像のうちの少なくとも２つを含む異なる動作を周期的に繰り返す、血管内システム。
【請求項１１】
前記第１のセンサアセンブリの異なる部分が圧力センサ、流量センサ又は撮像センサとして動作可能であり、前記コンピューティングデバイスは、圧力データ、流量データ又は撮像データを取得するために、前記第１のセンサアセンブリの異なる部分を制御する、請求項１０に記載の血管内システム。
【請求項１２】
前記第１のセンサアセンブリは、異なる時間において、圧力センサ、流量センサ又は撮像センサとして動作可能であり、前記コンピューティングデバイスは、それぞれの異なる時間において圧力データ、流量データ又は撮像データを取得するように前記第１のセンサアセンブリを制御する、請求項１０に記載の血管内システム。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
心肺蘇生（CPR）の間に使うための自動体外式除細動器（AED）であって：
ECG信号の入力部と；
聴覚的指示出力および視覚的ディスプレイの少なくとも一方を有するユーザー・インターフェースと；
ショック送達回路と；
前記入力部と通信し、前記入力部からのCPR関係の信号ノイズ・アーチファクトが存在するときにショック可能な心臓リズムを判別するよう構成されたECG解析器と；
連続CPR救助動作モードおよびスケジュールCPR救助動作モードの両方を含むCPR救助プロトコルに関係した指示を記憶するメモリと；
前記ショック送達回路、前記ECG解析器および前記ユーザー・インターフェースと通信するプロセッサとを有しており、前記プロセッサは、当該AEDを連続CPR救助動作モードおよびスケジュールCPR救助動作モードのシーケンスにおいて動作させるよう構成されており、さらに、前記ユーザー・インターフェースを介してユーザーに対して指示を発するよう構成されており、
連続CPR救助動作モードで動作しているときは、前記ECG解析器がショック可能な心臓リズムを判別したら、前記プロセッサは電気療法を送達するために前記ショック送達回路をアーミングし、次いですぐに、該送達のためにCPRを止めるよう前記ユーザー・インターフェースを介して指示を発するよう構成されており、
スケジュールCPR救助動作モードで動作しているときは、前記ECG解析器がショック可能な心臓リズムを判別したら、前記プロセッサは電気療法を送達するために前記ショック送達回路をアーミングし、所定期間の中断できないCPRの後に、該送達のためにCPRを止めるよう前記ユーザー・インターフェースを介して指示を発するよう構成されており、
さらに、前記プロセッサは、前記プロセッサが連続CPR救助動作モードで動作している場合にのみ、前記判別を自動的に取り消すよう構成されている、
AED。
【請求項２】
前記ECG解析器が、
前記ECG信号をECGデータの複数の時間逐次的なセグメントにセグメント分割し；
「ショックが助言される」ショック可能な心臓リズムを判別するためのECGデータ・セグメントの第一の集合を解析し、
「ショックが助言される」以外の心臓リズムを判別するためのECGデータ・セグメントのその後の連続した集合を解析し、
前記第二の解析の動作に基づいて前記「ショックが助言される」ショック可能な心臓リズムの判別を取り消すよう構成されている、
請求項１記載のAED。
【請求項３】
前記プロセッサはさらに、活性化されたショック送達回路によって特徴付けられるアーミングされた動作モードにおいて当該AEDを動作させるよう構成されており、さらに、前記プロセッサは、動作モードがアーミングされたモードである場合にはいかなる取り消し決定も禁止するよう構成されている、請求項２記載のAED。
【請求項４】
前記プロセッサは、前記アーミングされた動作モードの間、ECGデータ・セグメントの前記その後の連続した集合の前記解析を中断するよう構成されている、請求項３記載のAED。
【請求項５】
前記プロセッサは、固定した継続時間にわたって当該AEDを前記アーミングされた動作モードに維持するよう構成されており、該固定した継続時間後、前記プロセッサは前記アーミングされた動作モードを中止する、請求項３記載のAED。
【請求項６】
前記固定した継続時間が30秒である、請求項５記載のAED。
【請求項７】
前記プロセッサが、動作モードが前記カスタムCPR動作モードである場合には前記判別を自動的に取り消すことをしないよう構成されている、請求項１記載のAED。
【請求項８】
ECGデータ・セグメントの前記その後の連続した集合が三つのECGデータ・セグメントである、請求項２記載のAED。
【請求項９】
前記プロセッサが、取り消し決定を示すユーザー・プロンプトを前記ユーザー・インターフェースにおいて発するよう構成されている、請求項１記載のAED。
【手続補正２】
【補正対象書類名】明細書
【補正対象項目名】０００１
【補正方法】変更
【補正の内容】
【０００１】
本発明は、心停止の患者、特に心肺蘇生（CPR:  cardiopulmonary  resuscitation）および除細動電気療法からなる処置方式を必要とする患者を処置するための改善された装置に関する。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
プロセッサと、頭部装着型コンピューティングデバイスを着用したときに当該頭部装着型コンピューティングデバイスの着用者によって見られるようになされた少なくとも１つの表示モジュールとを備える前記頭部装着型コンピューティングデバイスを含むシステムのための心肺蘇生誘導の方法であって、前記方法は、
前記プロセッサにおいて、患者又は事故の被害者の生命兆候を監視する少なくとも１つのセンサからの生命兆候情報を伝達する第１の信号を受信するステップであって、前記少なくとも１つのセンサのうちの或るセンサが前記頭部装着型コンピューティングデバイスに組み込まれている、ステップと、
前記プロセッサを介して、前記生命兆候情報を抽出するために前記第１の信号を処理するステップと、
前記少なくとも１つの表示モジュールを介して、処理された前記生命兆候情報に応じて心肺蘇生誘導を表示するステップと、を有し、前記方法は、
前記プロセッサにおいて、前記患者又は前記被害者が位置する環境を感知する少なくとも１つのセンサからの環境情報を伝達する第２の信号を受信するステップと、
前記プロセッサを介して、（ｉ）前記着用者、前記患者又は前記被害者の安全に対して脅威を呈し、（ｉｉ）効果的な心肺蘇生の遂行に悪影響を与える、環境条件、危険、及び地形の問題を評価し、識別するための前記環境情報を抽出するために前記第２の信号を処理するステップと、
前記少なくとも１つの表示モジュールを介して、抽出された前記環境情報に応じて、調節された心肺蘇生誘導を表示するステップであって、前記調節された心肺蘇生誘導は、安全で効果的な心肺蘇生を保証するために（ｉ）識別された前記危険を緩和又は回避し、（ｉｉ）識別された前記環境条件及び前記地形の問題に対処するための誘導を含むステップと、をさらに有する、方法。
【請求項２】
前記生命兆候情報は、呼吸情報及び脈拍情報のうち少なくとも１つを含む、請求項１に記載の方法。
【請求項３】
前記患者の胸部圧迫特性を検出するさらなるセンサからの前記患者の前記胸部圧迫特性を前記プロセッサで受信するステップと、
前記胸部圧迫特性を前記プロセッサで処理するステップと、
処理された前記患者の前記胸部圧迫特性に応じて、調節された心肺蘇生誘導を表示するステップと、をさらに有する、請求項１に記載の方法。
【請求項４】
前記調節された心肺蘇生誘導を表示するステップは、胸部圧迫の深さ及び前記胸部圧迫の頻度のうち少なくとも１つが徐々に低下していることに応答して、心肺蘇生を施与する者を変更する提案を表示するステップを含む、請求項３に記載の方法。
【請求項５】
前記頭部装着型コンピューティングデバイスとワイヤレス通信するデバイスを自動的に識別するステップであって、前記デバイスの各々は、前記患者の生命兆候を監視するセンサ、及び前記患者の胸部圧迫特性を検出するさらなるセンサ、のうち少なくとも１つを備える、ステップと、
選択された、識別されたデバイスを前記頭部装着型コンピューティングデバイスにワイヤレスに接続するステップと、をさらに有する、請求項１に記載の方法。
【請求項６】
前記識別されたデバイスのワイヤレス通信モードを可能にするように前記頭部装着型コンピューティングデバイスの着用者に通知するための通知を、前記少なくとも１つの表示モジュール上に生成するステップをさらに有する、請求項５に記載の方法。
【請求項７】
選択された、前記識別されたデバイスを前記患者に位置付けるための位置付け情報を、前記少なくとも１つの表示モジュールに表示するステップをさらに有する、請求項５に記載の方法。
【請求項８】
前記患者の近傍にある除細動デバイスを自動的に識別するステップと、
前記除細動デバイスに関するユーザ命令を前記少なくとも１つの表示装置上に提供するステップと、をさらに有する、請求項１に記載の方法。
【請求項９】
自動的に遠隔救急サービスを前記システムに接続するステップと、
前記システムを用いて前記遠隔救急サービスに救難信号を送信するステップであって、前記救難信号は全地球測位情報を含んでいる、ステップと、をさらに有する、請求項１に記載の方法。
【請求項１０】
前記環境情報は、場所情報、交通情報、天候情報、及び危険情報を含む、請求項１に記載の方法。
【請求項１１】
前記調節された心肺蘇生誘導を表示するステップは、
処理された前記環境情報に応じて、前記患者の場所を変更する提案を表示するステップを含む、請求項１に記載の方法。
【請求項１２】
前記調節された心肺蘇生誘導を表示するステップは、
前記患者に脈拍がある及び／又は呼吸していることを示す生命兆候情報に応答して、前記患者の体位を変更する提案を表示するステップを含む、請求項１に記載の方法。
【請求項１３】
前記調節された心肺蘇生誘導を表示するステップは、（ｉ）前記患者に脈拍がない及び／又は呼吸していないことを示す生命兆候情報に応答して、（ｉｉ）処理された前記環境情報にさらに基づいて、前記患者の場所を変更する提案を表示するステップを含む、請求項１に記載の方法。
【請求項１４】
前記頭部装着型コンピューティングデバイスとワイヤレス通信するデバイスを自動的に識別するステップであって、前記デバイスの各々は、前記患者が位置する環境を感知するセンサのうちの少なくとも１つを備える、ステップと、
選択された、識別されたデバイスを前記頭部装着型コンピューティングデバイスにワイヤレスに接続するステップと、をさらに有する、請求項１に記載の方法。
【請求項１５】
前記頭部装着型コンピューティングデバイスを着用したときに当該頭部装着型コンピューティングデバイスの着用者によって見られるようになされた少なくとも１つの表示モジュールをさらに含む前記頭部装着型コンピューティングデバイスの前記プロセッサで実行されたときに、請求項１に記載の方法を実施するコンピュータプログラムコードで具現化される、非一時的コンピュータ可読媒体。
【請求項１６】
請求項１５に記載の非一時的コンピュータ可読媒体と、前記頭部装着型コンピューティングデバイスとを含む心肺蘇生誘導システムであって、
前記頭部装着型コンピューティングデバイスは、前記患者の生命兆候を監視する前記センサと、前記頭部装着型コンピューティングデバイスを着用したときに当該頭部装着型コンピューティングデバイスの着用者によって見られるようになされた少なくとも１つの表示モジュールと、前記非一時的コンピュータ可読媒体のコンピュータプログラムコードを実行する前記プロセッサとを備える、心肺蘇生誘導システム。
【請求項１７】
前記頭部装着型コンピューティングデバイスの外部にある、前記患者の生命兆候を監視する少なくとも１つのセンサのうち１つ又は複数をさらに備える、請求項１６に記載の心肺蘇生誘導システム。
【請求項１８】
前記患者が位置する環境を感知する少なくとも１つのセンサをさらに備える、請求項１６に記載の心肺蘇生誘導システム。
【請求項１９】
前記患者の胸部圧迫特性を検出するさらなるセンサをさらに備える、請求項１６に記載の心肺蘇生誘導システム。
【請求項２０】
前記さらなるセンサは、スマートフォン又はスマートウォッチのうちの１以上を含む携帯型デバイス又は装着型デバイスに組み込まれている、請求項１９に記載の心肺蘇生誘導システム。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
少なくとも１つの接近センサから該少なくとも１つの接近センサの第１基準値に対して測定される応答信号を受信するための入力インターフェースと、
フィルタ済応答信号を生成するために、前記少なくとも１つの接近センサ及び物体が互いに相対運動で通過することによる前記応答信号において、１以上の周波数を低減することによって、前記応答信号をフィルタ処理するフィルタモジュールと、
前記フィルタ済応答信号が第１条件を満たす、第１閾値を横切る場合に、接近イベントが発生したと宣言する接近イベント宣言部と、
前記接近イベントが発生したとの宣言に応答して、新たな基準値を選択する基準値適応部と、
を有する、物体接近検出装置。
【請求項２】
前記応答信号又は前記フィルタ済応答信号が第２条件を満たす、前記新たな基準値に対して測定された第２閾値を横切る場合に、物体接近アクションが取られるための出力信号を送出するアクションモジュールを有する、請求項１に記載の物体接近検出装置。
【請求項３】
前記応答信号は、前記少なくとも１つの接近センサと少なくとも１つの物体との間に相対運動が存在する間に受信される、請求項１又は請求項２に記載の物体接近検出装置。
【請求項４】
前記新たな基準値は、前記接近イベントの発生の場合にキャプチャされるフィルタ処理されていない応答信号に対応する、請求項１ないし３の何れか一項に記載の物体接近検出装置。
【請求項５】
前記フィルタモジュールがハイパス又は帯域通過フィルタである、請求項１ないし４の何れか一項に記載の物体接近検出装置。
【請求項６】
前記接近イベント宣言部は前記応答信号又は前記フィルタ済応答信号を監視すると共に、前記フィルタ済応答信号が前記第１閾値を再び横切った場合に前記接近イベントを非接近イベントに宣言し直す、請求項１ないし５の何れか一項に記載の物体接近検出装置。
【請求項７】
前記アクションモジュールは前記接近イベントが宣言された場合にのみ前記出力信号を送出する、請求項２、又は請求項２に従属する請求項３ないし６の何れか一項に記載の物体接近検出装置。
【請求項８】
前記少なくとも１つの接近センサが、作業装置の可動部分、医療用作業装置の可動部分、又は医療撮像装置の可動部分に取り付けられる、請求項１ないし７の何れか一項に記載の物体接近検出装置。
【請求項９】
前記接近センサは、人体に取り付けるためにウエアラブルに組み込まれる、請求項１ないし８の何れか一項に記載の物体接近検出装置。
【請求項１０】
撮像装置と、
請求項１ないし９の何れか一項に記載の物体接近検出装置と、
前記応答信号が受信される前記接近センサの１以上と、
を有する、撮像システム。
【請求項１１】
前記少なくとも１つの接近センサが前記撮像装置の可動部分に配置され、及び／又は前記少なくとも１つの接近センサが前記撮像装置の周囲に居る人の身体に配置される、請求項１０に記載の撮像システム。
【請求項１２】
少なくとも１つの接近センサから該少なくとも１つの接近センサの第１基準値に対して測定される応答信号を受信するステップと、
フィルタ済応答信号を生成するために、前記少なくとも１つの接近センサ及び物体が互いに相対運動で通過することによる前記応答信号において、１以上の周波数を低減することによって、前記応答信号をフィルタ処理するステップと、
前記フィルタ済応答信号が第１条件を満たす、第１閾値を横切る場合に、接近イベントが発生したと宣言するステップと、
前記接近イベントが発生したとの宣言に応答して、新たな基準値を選択するステップと、
を有する、物体接近検出のための方法。
【請求項１３】
前記応答信号又は前記フィルタ済応答信号が第２条件を満たす、前記新たな基準値に対して測定された第２閾値を横切る場合に、物体接近アクションが取られるための出力信号を送出するステップを有する、請求項１２に記載の方法。
【請求項１４】
処理ユニット上で請求項１２又は請求項１３に記載の方法のステップを実行する、コンピュータプログラム。
【請求項１５】
請求項１４に記載のコンピュータプログラムを記憶したコンピュータ読取可能な媒体。
【手続補正書】
【提出日】令和1年6月17日(2019.6.17)
【手続補正１】
【補正対象書類名】明細書
【補正対象項目名】発明の名称
【補正方法】変更
【補正の内容】
【発明の名称】カテーテル処置システム
【手続補正２】
【補正対象書類名】特許請求の範囲
【補正対象項目名】全文
【補正方法】変更
【補正の内容】
【特許請求の範囲】
【請求項１】
カテーテル処置システムであって、
ベースと、
長手方向軸を有し、前記ベースに対して前記長手方向軸に沿って可動なロボット機構と
を含み、
前記ロボット機構は、
少なくとも一つの駆動機構を含むロボット駆動ベースと、
前記ロボット駆動ベースに動作可能に固定されたカセットと、
前記カセットに結合されて前記ロボット機構に対して固定された剛体ガイドと、
遠位端、近位端、及び複数の反射性セクションを有する可撓性トラックと、
前記ロボット駆動ベースに取り付けられて前記可撓性トラックの下方に位置決めされた位置検出器と
を含み、
前記可撓性トラックの少なくとも一部分が前記剛体ガイドの中に配置され、
前記位置検出器は、前記可撓性トラックの反射性セクションから反射された光を検出するように構成されるとともに、前記検出された反射光に基づいて前記可撓性トラックの遠位端の位置を決定するように構成されるカテーテル処置システム。
【請求項２】
前記位置検出器は少なくとも一つの光検出器を含む請求項１に記載のカテーテル処置システム。
【請求項３】
前記少なくとも一つの光検出器は発光ダイオード（ＬＥＤ）及び光ダイオードを含む請求項２に記載のカテーテル処置システム。
【請求項４】
前記位置検出器はさらに、少なくとも一つの透明セクションを有するハウジングを含む請求項２に記載のカテーテル処置システム。
【請求項５】
前記少なくとも一つの光検出器は、前記ハウジングの透明セクションを通過して前記可撓性トラックへと向かう光を発するように構成されるとともに、前記可撓性トラックの反射性セクションから反射された光を検出するように構成される請求項４に記載のカテーテル処置システム。
【請求項６】
前記ロボット機構の前記長手方向軸に沿った動きは、前記可撓性トラックの遠位端の位置に基づいて制御される請求項１に記載のカテーテル処置システム。
【請求項７】
前記位置検出器は第１の光検出器及び第２の光検出器を含む請求項１に記載のカテーテル処置システム。
【請求項８】
前記第１の光検出器及び前記第２の光検出器は、２ビットグレイコードを出力するべく前記位置検出器の中に配置される請求項７に記載のカテーテル処置システム。
【請求項９】
前記可撓性トラックの遠位端の位置は、前記２ビットグレイコードの出力に基づく請求項８に記載のカテーテル処置システム。
【請求項１０】
前記第１の光検出器は第１のＬＥＤ及び第１の光ダイオードを含み、
前記第２の光検出器は第２のＬＥＤ及び第２の光ダイオードを含む請求項７に記載のカテーテル処置システム。
【請求項１１】
前記可撓性トラックの中に配置された細長い医療デバイスをさらに含む請求項１に記載のカテーテル処置システム。
【請求項１２】
前記細長い医療デバイスはガイドカテーテルである請求項１１に記載のカテーテル処置システム。
【請求項１３】
前記可撓性トラックの遠位端の位置を決定することは、前記可撓性トラックの遠位端と前記カセットとの間の距離を決定することを含む請求項１に記載のカテーテル処置システム。
【請求項１４】
前記ロボット機構の前記長手方向軸に沿った動きは、前記可撓性トラックの遠位端と前記カセットとの間の距離までに限られる請求項１３に記載のカテーテル処置システム。
【請求項１５】
前記剛体ガイドの近位端及び前記可撓性トラックの近位端の中に配置された反射性標的をさらに含み、
前記少なくとも一つの光検出器は、前記ハウジングの透明セクションを通過して前記可撓性トラックへと向かう光を発するように構成されるとともに、前記可撓性トラックの反射性セクション、及び前記反射性標的から反射された光を検出するように構成される請求項５に記載のカテーテル処置システム。
【請求項１６】
前記反射性セクションは、非反射性セクションを介して互いから均等に離間される請求項１に記載のカテーテル処置システム。
【請求項１７】
各反射性セクションは第１の幅を有し、
各非反射性セクションは第２の幅を有し、
前記第１の幅は前記第２の幅に等しい請求項１６に記載のカテーテル処置システム。
【請求項１８】
前記位置検出器はさらに第３の光検出器及び第４の光検出器を含み、
前記第１の光検出器、前記第２の光検出器、前記第３の光検出器、及び前記第４の光検出器は、２ビットグレイコードを出力するべく前記位置検出器の中に配置される請求項８に記載のカテーテル処置システム。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
気道内圧補助システム用の加湿器であって、
基部と、
前記基部から延在する幾つかの側壁と、
前記基部の反対側に設けられている最上壁と、
前記加湿器上又は内に設けられている複数の支持構造体と、
を含み、
前記基部、前記幾つかの側壁及び前記最上壁は、エラストマー材料でできており、液体を受け取り保持する内部チャンバを少なくとも部分的に画定し、
各支持構造体は、少なくとも、前記幾つかの側壁に沿って延在し、
前記加湿器は、初めの拡張した状態において、圧縮力が前記最上壁に加えられると、前記初めの拡張した状態からつぶされた状態につぶされ、前記圧縮力が取り除かれると、前記初めの拡張した状態に自動的に戻る、加湿器。
【請求項２】
前記幾つかの側壁は、前記基部の第１の側部から延在する第１の側壁及び前記基部の第２の側部から延在する第２の側壁を含み、前記最上壁は、前記第１の側壁と前記第２の側壁との間に設けられ、各支持構造体は、前記第１の側壁、前記最上壁及び前記第２の側壁に沿って、前記基部の前記第１の側部から前記基部の前記第２の側部に延在する、請求項１に記載の加湿器。
【請求項３】
前記複数の支持構造体は、複数のリブ部材を含む、請求項２に記載の加湿器。
【請求項４】
前記複数のリブ部材は、互いに平行である平面内にあり、前記複数のリブ部材は、前記加湿器の長手軸に対して垂直であり、前記複数のリブ部材は、前記長手軸に沿って離間されている、請求項３に記載の加湿器。
【請求項５】
前記複数のリブ部材は、第１のリブ部材及び第２のリブ部材を含み、前記第１のリブ部材と前記第２のリブ部材とは、前記最上壁の中央部分で十字交差する、請求項３に記載の加湿器。
【請求項６】
前記複数のリブ部材は、前記エラストマー材料で作られ、前記第１の側壁、前記最上壁及び前記第２の側壁の厚くなった部分を含む、請求項３に記載の加湿器。
【請求項７】
前記複数のリブ部材それぞれは、前記第１の側壁、前記最上壁及び前記第２の側壁に取り付けられる別箇のコンポーネントを含む、請求項３に記載の加湿器。
【請求項８】
各リブ部材は、金属ばね部材又はプラスチックばね部材である、請求項３に記載の加湿器。
【請求項９】
入口連結器と、出口連結器と、を更に含み、前記入口連結器及び前記出口連結器は、前記内部チャンバへの流体アクセスを提供する、請求項１に記載の加湿器。
【請求項１０】
前記基部は、加熱プレートを取り外し可能に受けるポケットを含む、請求項１に記載の加湿器。
【請求項１１】
前記ポケットは、前記加湿器の底部表面内に設けられ、前記底部表面からアクセス可能である、請求項１０に記載の加湿器。
【請求項１２】
前記エラストマー材料は、シリコーンである、請求項１に記載の加湿器。
【請求項１３】
前記エラストマー材料は、２０〜８０ショアＡの硬度を有する、請求項１に記載の加湿器。
【請求項１４】
前記複数の支持構造体は、複数のリブ部材を含み、前記幾つかの側壁は、前記基部と前記最上壁との間に設けられている円筒側壁を含み、前記複数のリブ部材は、複数の第１のリブ部材及び複数の第２のリブ部材を含み、前記複数の第１のリブ部材及び前記複数の第２のリブ部材は、十字交差パターンを形成する、請求項１に記載の加湿器。
【請求項１５】
請求項１に記載の加湿器を使用する、患者に呼吸ガスを供給する圧補助システム。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
第１の表面及び前記第１の表面とは反対側に第２の表面を有するトランスデューサアレイと、
前記トランスデューサアレイの前記第１の表面に隣接して配置されるブラダーと、
前記ブラダーと撮像対象の物体との間に前記トランスデューサアレイを配置するために前記ブラダー及び前記物体の周りに巻き付けるストラップと、
を含み、
前記第２の表面は、前記撮像対象の物体に当てて配置され、
前記ブラダーは、流体によって膨らませられ、
前記ストラップ及び前記ブラダーは、前記トランスデューサアレイの前記第１の表面に当たる力を維持する、装置。
【請求項２】
前記ブラダーに結合されるポンプを更に含み、前記ポンプは、前記ブラダーを前記流体で膨らませる、請求項１に記載の装置。
【請求項３】
前記ブラダーに結合されるゲージを更に含み、前記ゲージは、前記流体の圧力を決定する、請求項１に記載の装置。
【請求項４】
前記ブラダーは、複数の流体結合されているコンパートメントを含む、請求項１に記載の装置。
【請求項５】
前記トランスデューサアレイは、フレキシブルトランスデューサアレイである、請求項１に記載の装置。
【請求項６】
前記トランスデューサアレイは、前記第２の表面内にチャネルを含む、請求項１に記載の装置。
【請求項７】
前記ブラダーを前記流体で膨らませるポンプと、
前記ポンプに結合され、前記ブラダーを所望の圧力まで膨らませるように前記ポンプを制御するコントローラと、
を更に含む、請求項１に記載の装置。
【請求項８】
超音波信号を送信するフレキシブルトランスデューサアレイと、
前記フレキシブルトランスデューサアレイに結合され、前記超音波信号を制御するビームフォーマと、
物体に当たる前記フレキシブルトランスデューサアレイの位置を維持するために前記フレキシブルトランスデューサアレイの上に配置されるトランスデューサ位置決めデバイスと、
を含み、
前記トランスデューサ位置決めデバイスは、
膨らませられるブラダーと、
前記ブラダーを前記フレキシブルトランスデューサアレイに接触させた状態に維持するストラップと、
を含む、超音波システム。
【請求項９】
前記フレキシブルトランスデューサアレイは、前記ビームフォーマに信号を提供する歪みセンサを含み、前記信号は、前記フレキシブルトランスデューサアレイの位置を示す、請求項８に記載の超音波システム。
【請求項１０】
前記フレキシブルトランスデューサアレイは、前記ビームフォーマに信号を提供するタグを含み、前記信号は、前記フレキシブルトランスデューサアレイの位置を示す、請求項８に記載の超音波システム。
【請求項１１】
前記タグによって提供される前記信号を発生させる電磁場発生器を更に含む、請求項１０に記載の超音波システム。
【請求項１２】
前記フレキシブルトランスデューサアレイは、連続的にフレキシブルであるか、又は区分的にフレキシブルである、請求項８に記載の超音波システム。
【請求項１３】
前記ストラップは、弾性材料を含む、請求項８に記載の超音波システム。
【請求項１４】
前記ストラップは、物体に前記ストラップを固定する留め具を含む、請求項８に記載の超音波システム。
【請求項１５】
前記留め具は、前記ストラップへの力が閾値を超えると解放する、請求項１４に記載の超音波システム。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
可撓性の細長い部材と、
前記可撓性の細長い部材の遠位部分に配置され、第１の方向に超音波を放射するように方向づけられた超音波トランスデューサと、
前記超音波トランスデューサに結合された音響インピーダンス整合構造と
を含む撮像装置であって、
前記音響インピーダンス整合構造は、前記超音波トランスデューサの半径方向外側に配置され、前記音響インピーダンス整合構造は、
ポリマーフィルムと、
前記ポリマーフィルムの半径方向外側に配置される第１の導体層と、
前記ポリマーフィルムの半径方向内側に配置される第２の導体層と
を含み、
前記第１の導体層と前記第２の導体層との両方が接地シールドを提供する、
撮像装置。
【請求項２】
第３の導体層が前記超音波トランスデューサ上に配置され、前記第３の導体層と前記第２の導体層との間にアンダーフィル材料が配置される、請求項１に記載の撮像装置。
【請求項３】
前記第２の導体層は、約０．５μｍ〜約２．０μｍの半径方向厚さを有する、請求項１に記載の撮像装置。
【請求項４】
前記第１の導体層は、約０．５μｍ〜約１．０μｍの半径方向厚さを有する、請求項１に記載の撮像装置。
【請求項５】
前記第１の導体層及び前記第２の導体層は金を含む、請求項１に記載の撮像装置。
【請求項６】
後側音響インピーダンス整合構造をさらに含み、前記後側音響インピーダンス整合構造は、前記超音波トランスデューサの半径方向内側に配置され、バッキング材料をさらに含む、請求項１に記載の撮像装置。
【請求項７】
前記バッキング材料は、セラミック材料又は金属のうちの少なくとも一方を含むエポキシを含む、請求項６に記載の撮像装置。
【請求項８】
前記バッキング材料は、約１３５μｍ〜約５０μｍの半径方向厚さを有する、請求項７に記載の撮像装置。
【請求項９】
前記可撓性の細長い部材の前記遠位部分に配置された追加の超音波トランスデューサをさらに含み、前記超音波トランスデューサと前記追加の超音波トランスデューサとは、超音波スキャナアセンブリを形成するように円周方向に配置された複数の超音波トランスデューサであり、
前記音響インピーダンス整合構造は、前記複数の超音波トランスデューサの半径方向外側に配置される、
請求項１に記載の撮像装置。
【請求項１０】
前記複数の超音波トランスデューサの半径方向内側に配置されたバッキング材料をさらに含む、請求項９に記載の撮像装置。
【請求項１１】
前記バッキング材料は、エポキシと、セラミック材料又は金属のうちの少なくとも一方とを含む、請求項１０に記載の撮像装置。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
患者の気道に呼吸ガスの流れを送出する圧補助システムであって、
前記呼吸ガスの流れを生成する圧力発生システムと、
患者インターフェースデバイスを含み、前記圧力発生システムに連結され、前記呼吸ガスの流れを運ぶ患者回路と、
前記患者回路内のガス流路内で前記患者回路に連結され、前記患者に近位の前記ガス流路内の気圧を示す気圧信号を生成する気圧センサと、
前記患者回路の空気抵抗による前記患者回路の圧力低下を補償するように、少なくとも前記気圧信号に基づいて、前記圧力発生システムによって生成される出口圧力を制御する制御システムと、
を含む、圧補助システム。
【請求項２】
前記圧力発生システムは、圧力発生ベースユニット内に設けられ、前記圧力発生ベースユニットは、前記圧力発生システムによって生成される総流量を示す流量信号を生成する流量センサ、及び、ベースユニット圧力信号を生成するベースユニット圧力センサを含み、前記制御システムは、前記患者回路の前記空気抵抗による前記患者回路の前記圧力低下を補償するように、前記気圧信号、前記流量信号及び前記ベースユニット圧力信号に基づいて前記出口圧力を制御する、請求項１に記載の圧補助システム。
【請求項３】
前記ベースユニット圧力センサは、ゲージ圧センサであり、前記ベースユニット圧力信号は、前記圧力発生システムによって生成されるゲージ圧を示すゲージ圧信号である、請求項２に記載の圧補助システム。
【請求項４】
前記流量信号は、ＱＭＥＡＳＵＲＥＤであり、前記気圧信号は、ＰＢＡＲＯＭＥＴＩＣであり、前記ゲージ圧信号は、ＰＧＡＵＧＥであり、前記制御システムは、ＱＭＥＡＳＵＲＥＤ、ＰＢＡＲＯＭＥＴＩＣ及びＰＧＡＵＧＥの関数として、前記出口圧力を決定する、請求項３に記載の圧補助システム。
【請求項５】
前記制御システムは、前記出口圧力（Ｐｏｕｔｌｅｔ）を、次の方程式：Ｐｏｕｔｌｅｔ＝Ｐｐｔｓｅｔ＋Ｐｄｒｏｐｃａｌｃに従って決定し、前記方程式中、Ｐｐｔｓｅｔは、所望の患者圧力設定点であり、Ｐｄｒｏｐｃａｌｃ＝Ａ＊ＱＭＥＡＳＵＲＥＤ２＋Ｂ＊ＱＭＥＡＳＵＲＥＤであり、Ａ及びＢは、ＱＭＥＡＳＵＲＥＤ、ＰＢＡＲＯＭＥＴＩＣ及びＰＧＡＵＧＥの複数の収集及び記憶された値を使用して導出される係数である、請求項４に記載の圧補助システム。
【請求項６】
Ｐｄｉｆｆは、ＰＧＡＵＧＥとＰＢＡＲＯＭＥＴＩＣとの差であり、前記Ａ及びＢは、ＱＭＥＡＳＵＲＥＤ、ＰＢＡＲＯＭＥＴＩＣ及びＰＧＡＵＧＥの前記複数の収集及び記憶された値を使用してＰｄｉｆｆ−ＱＭＥＡＳＵＲＥＤ曲線を生成し、前記Ｐｄｉｆｆ−ＱＭＥＡＳＵＲＥＤ曲線の曲線適合から前記Ａ及びＢを導出することによって、導出される、請求項５に記載の圧補助システム。
【請求項７】
前記曲線適合は、最小二乗推定による曲線適合である、請求項６に記載の圧補助システム。
【請求項８】
コントローラが、前記Ａ及びＢを定期的に更新する、請求項６に記載の圧補助システム。
【請求項９】
前記気圧センサは、前記患者インターフェースデバイスに直接接続される、請求項１に記載の圧補助システム。
【請求項１０】
前記圧力発生システムは、圧力発生ベースユニット内に設けられ、前記圧補助システムは更に、前記圧力発生ベースユニット内及び前記圧力発生ベースユニットのガス流路内に設けられる第２の気圧センサを含み、前記第２の気圧センサは、前記圧力発生ベースユニット内の気圧を示す第２の気圧信号を生成し、前記制御システムは、前記患者回路の空気抵抗による前記患者回路の圧力低下を補償するように、少なくとも前記気圧信号及び前記第２の気圧信号に基づいて、前記圧力発生システムによって生成される前記出口圧力を制御する、請求項１に記載の圧補助システム。
【請求項１１】
患者の気道に呼吸ガスの流れを送出する圧補助システムを制御する方法であって、前記圧補助システムは、前記呼吸ガスの流れを生成する圧力発生システムと、前記患者の気道に前記呼吸ガスの流れを送出する患者インターフェースデバイスを含む患者回路と、を含み、前記方法は、
前記患者に近位の前記患者回路のガス流路内の気圧を決定するステップと、
前記患者回路の空気抵抗による前記患者回路の圧力低下を補償するように、少なくとも前記気圧に基づいて、前記圧力発生システムの出口圧力を制御するステップと、
を含む、方法。
【請求項１２】
気圧を決定する前記ステップは、前記ガス流路内に設けられる気圧センサを使用して、前記気圧を示す気圧信号を生成するステップを含む、請求項１１に記載の方法。
【請求項１３】
前記圧力発生システムは、圧力発生ベースユニット内に設けられ、前記圧力発生ベースユニットは、流量センサを含み、前記方法は、前記圧力発生システムによって生成される総流量を示す流量信号を生成するステップを含み、前記圧力発生ベースユニットは、ベースユニット圧力センサを含み、前記方法は、ベースユニット圧力信号を生成するステップを含み、制御する前記ステップは、前記患者回路の前記空気抵抗による前記患者回路の前記圧力低下を補償するように、前記気圧信号、前記流量信号及び前記ベースユニット圧力信号に基づいて、前記出口圧力を制御するステップを含む、請求項１２に記載の方法。
【請求項１４】
前記ベースユニット圧力センサは、ゲージ圧センサであり、前記ベースユニット圧力信号は、前記圧力発生システムによって生成されるゲージ圧を示すゲージ圧信号である、請求項１３に記載の方法。
【請求項１５】
前記流量信号は、ＱＭＥＡＳＵＲＥＤであり、前記気圧信号は、ＰＢＡＲＯＭＥＴＩＣであり、前記ゲージ圧信号は、ＰＧＡＵＧＥであり、制御する前記ステップは、ＱＭＥＡＳＵＲＥＤ、ＰＢＡＲＯＭＥＴＩＣ及びＰＧＡＵＧＥの関数として、前記出口圧力を決定するステップを含む、請求項１４に記載の方法。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
ラジオ部を有すると共に、超音波プローブ制御信号を受信する無線超音波プローブと、
ラジオ部を有し、前記無線超音波プローブに超音波プローブ制御信号を送信するプロセッサドングルと、
前記プロセッサドングルに結合されると共に、該プロセッサドングルにより発生された超音波画像を表示する表示器と、
を有する、超音波システムにおいて、
前記無線超音波プローブは更に、前記超音波プローブ制御信号に基づいた超音波画像走査ラインデータを送信し、
前記プロセッサドングルは、オペレーティングシステム及び超音波システム制御プログラムを実行する、デジタルプロセッサを有し、更に、撮像手順のためのユーザインターフェースコマンドを受信し、前記無線超音波プローブから画像ラインデータ信号を受信し、受信された画像ラインデータ信号の画像処理を実行して表示のための超音波画像を発生することを特徴とする、
超音波システム。
【請求項２】
前記プロセッサドングルが前記表示器のＨＤＭＩ（登録商標）ポートに着脱可能に結合されるＨＤＭＩ（登録商標）コネクタを更に有する、請求項１に記載の超音波システム。
【請求項３】
前記ラジオ部が超広帯域（ＵＷＢ）ラジオ部を有し、前記プロセッサドングルが入力ポートを更に有し、当該超音波システムが該入力ポートにプラグ接続されるＵＷＢドングルを更に有する、請求項１に記載の超音波システム。
【請求項４】
前記プロセッサドングルのラジオ部がWi-Fi（登録商標）ラジオ部を有し、
前記表示器がWi-Fi（登録商標）ラジオ部を更に有し、
前記表示器が該Wi-Fi（登録商標）ラジオ部を用いて前記プロセッサドングルに結合される、
請求項１に記載の超音波システム。
【請求項５】
前記プロセッサドングルに接続されると共に、a.c.コンセントにプラグ接続された場合に該プロセッサドングルに給電するa.c.アダプタを更に有し、
前記プロセッサドングルは、超音波情報を含むデータ伝送のためにケーブルを前記無線超音波プローブに接続するポートを更に有し、
前記表示器が、ラジオ部を更に有すると共に、該ラジオ部を用いて前記プロセッサドングルに結合される、
請求項１に記載の超音波システム。
【請求項６】
前記表示器が、患者モニタを更に有する、請求項１に記載の超音波システム。
【請求項７】
Wi-Fi（登録商標）ラジオ部を備えるタブレットコンピュータを更に有し、
前記プロセッサドングルのラジオ部がWi-Fi（登録商標）ラジオ部を更に有し、
前記タブレットコンピュータが前記プロセッサドングルにより発生された超音波画像を表示する、
請求項１に記載の超音波システム。
【請求項８】
前記タブレットコンピュータが、当該超音波システムを制御するためにユーザにより操作されるユーザインターフェース制御子を更に表示する、請求項７に記載の超音波システム。
【請求項９】
前記プロセッサドングルにより発生された超音波画像を受信するラジオ部を有すると共に該超音波画像を超音波表示部に表示するタブレットコンピュータを更に有し、ユーザ入力に応答して、更に、前記超音波画像を前記表示器、前記タブレットコンピュータ又はこれら両方に表示させる、請求項１に記載の超音波システム。
【請求項１０】
前記超音波表示部が、超音波検査を制御する複数の制御釦を更に有する、請求項９に記載の超音波システム。
【請求項１１】
前記タブレットコンピュータがタッチスクリーン表示器を更に有する、請求項１０に記載の超音波システム。
【請求項１２】
超音波プローブと、
前記超音波プローブに超音波プローブ制御信号を送信するプロセッサドングルと、
前記プロセッサドングルに結合されると共に、該プロセッサドングルにより発生された超音波画像を表示する表示器と、
を有する、超音波システムにおいて、
前記超音波プローブは、超音波プローブ制御信号を受信すると共に該超音波プローブ制御信号に基づいた超音波画像走査ラインデータを送信するプローブケーブルを有し、
前記プロセッサドングルは、前記プローブケーブルが接続されるポート、並びに、オペレーティングシステム及び超音波システム制御プログラムを実行する、デジタルプロセッサを有し、更に、撮像手順のためのユーザインターフェースコマンドを受信し、前記超音波プローブから画像ラインデータ信号を受信し、受信された画像ラインデータ信号の画像処理を実行して表示のための超音波画像を発生することを特徴とする、超音波システム。
【請求項１３】
前記プロセッサドングルはラジオ部を更に有し、
前記表示器はラジオ部を更に有し、
前記表示器は前記ラジオ部により前記プロセッサドングルに結合される、
請求項１２に記載の超音波システム。
【請求項１４】
前記プロセッサドングルはコネクタを更に有し、
前記表示器はデータポートを更に有し、
前記プロセッサドングルの前記コネクタが前記データポートに結合される、
請求項１２に記載の超音波システム。
【請求項１５】
前記無線超音波プローブは該無線超音波プローブの動きに応答して信号を発生するモーションセンサを更に有し、
前記プロセッサドングルが、該無線超音波プローブの動きに応答して発生された信号に応答して当該超音波システムの動作を制御する、
請求項１に記載の超音波システム。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
被験体の腎動脈の腎神経を刺激するためのシステムであって、前記システムは、
-前記腎神経を間質的に刺激する間質装置を有する刺激装置と、
-少なくとも2回、前記被験者の血圧及び/又は心拍数を測定するための測定ユニットであって、これらの回の少なくとも1つが前記腎神経の前記刺激の間又は後である、測定ユニットと、
-前記測定血圧及び/又は前記測定心拍数に基づいて、前記被験者が腎交感神経除神経術プロシージャに適しているかを決定するための被験体適合性決定ユニットと
を有する、システム。
【請求項２】
前記被験者適合性決定ユニットは、前記測定血圧に基づいて血圧の変化を示す血圧変化パラメータを決定し、及び/又は前記測定心拍数に基づいて心拍数の変化を示す心拍数変化パラメータを決定し、前記血圧変化パラメータ及び/又は前記心拍数変化パラメータに各々基づいて、前記被験者が前記腎交感神経除神経術プロシージャに適していることを決定するように構成される、請求項1に記載のシステム。
【請求項３】
前記被験者適合性決定ユニットは、前記血圧変化パラメータが前記血圧の上昇を示す場合、及び/又は前記心拍数変化パラメータが前記心拍数の増加を示す場合、前記被験者は前記腎交感神経除神経術プロシージャに適していることを決定するように構成される、請求項２に記載のシステム。
【請求項４】
前記被験者適合性決定ユニットは、前記血圧変化パラメータが、前記血圧は少なくとも20％増加したことを示す場合、及び/又は前記心拍数変化パラメータが、前記心拍数は少なくとも10％増加したことを示す場合、前記被験者は前記腎交感神経除神経術プロシージャに適していることを決定するように構成される、請求項２に記載のシステム。
【請求項５】
前記システムは、前記腎交感神経除神経術プロシージャを実行する腎交感神経除神経術装置を有する、請求項1に記載のシステム。
【請求項６】
前記システムは、前記腎交感神経除神経術装置を制御するための制御ユニットを有し、前記制御ユニットは、前記被験体適合性決定ユニットが、前記被験体は前記腎交感神経除神経術プロシージャに適していることを決定した場合にのみ、前記腎交感神経除神経術プロシージャが実行されるように前記腎交感神経除神経術装置を制御するように構成される、請求項５に記載のシステム。
【請求項７】
前記腎交感神経除神経術装置は、前記腎交感神経除神経術プロシージャを間質的に実行するための間質装置を有する、請求項５に記載のシステム。
【請求項８】
前記腎交感神経除神経術装置は、前記刺激装置と一体化される、請求項５に記載のシステム。
【請求項９】
前記刺激装置は、前記腎交感神経除神経術プロシージャを実行しながら前記腎神経を刺激するように構成され、前記測定ユニットは、少なくとも2回前記血圧及び/又は前記心拍数を測定するように構成され、これらの回の少なくとも1つは、前記腎交感神経除神経術プロシージャが実行される間に実行される、前記腎神経の前記刺激の間又は後になる、請求項５に記載のシステム。
【請求項１０】
前記システムは、少なくとも2回測定された前記血圧及び/又は前記心拍数に基づいて、前記腎交感神経除神経術プロシージャがいつ終了されるべきかを決定するための終了決定ユニットを有し、これらの回の少なくとも1つは、前記腎交感神経除神経術プロシージャが実行される間に実行される、前記腎神経の前記刺激の間又は後になる、請求項９に記載のシステム。
【請求項１１】
被験者の腎動脈の腎神経を刺激するための針装置であって、前記針装置は前記腎神経を間質的に刺激し、腎交感神経除神経術プロシージャを間質的に実行するように構成される、針装置。
【請求項１２】
被験体の腎動脈の腎神経を刺激する方法であって、該方法は、
-刺激装置によって前記腎神経を刺激するステップと、
-測定ユニットによって少なくとも2回前記被験体の血圧及び/又は心拍数を測定するステップであって、これらの回の少なくとも1つが前記腎神経の刺激の間又は後である、ステップと、
-前記測定血圧及び/又は前記測定心拍数に基づいて、前記被験者が前記腎交感神経除神経術プロシージャに適しているかを決定するステップと
を有する、方法。
【請求項１３】
請求項１２に記載の方法を実行するための、請求項１１に記載の針装置の使用。
【請求項１４】
請求項1に記載の被験者の腎動脈の腎神経を刺激するシステムを制御するためのコンピュータプログラムであって、前記コンピュータプログラムは、前記コンピュータプログラムが前記システム上で実行されるとき、前記システムに、請求項１２に記載の被験体の腎動脈の腎神経を刺激するための方法を実行させるプログラムコード手段を有する、コンピュータプログラム。